(57)【要約】【課題】立ち上がりが急峻な一定周期の外来ノイズのレベルが一時的に低下した場合であっても、誤動作を防止することができるデータ処理装置を提供する。【解決手段】入力波形の立上がり時間が短く、周期が異なる場合、（１）センサの出力電圧が0.45Ｖ以上になってから450msが経過していない、（２）入力波形の山の数が７以上である、（３）センサ信号発生中状態、（４）過去７山分の周期差の最大値が10ms以下である、（５）過去７山分のピーク発生時間が25ms以下である、という５つの条件を連続して判別し、全ての条件が成立した場合、その成立をホールドしてセンサ出力に基づくデータ処理を禁止する。一方、外来ノイズには見られない、ピークまでの立ち上がり時間が生じた場合、すなわち、過去７山分のピーク発生時間が25ｍｓ以上になった場合には、上記の禁止をキャンセルしてデータ処理を実行する。【選択図】図７
2008249338.tif 000002
【特許請求の範囲】
【請求項１】
入力信号のＡ／Ｄ変換出力をデータ処理するデータ処理手段と、
連続して同じ周期の波形が入力され、かつ、波形の立上り時間が所定時間内であると判別したとき、外来ノイズと判定する外来ノイズ判定手段とを備え、
外来ノイズと判定した場合、上記外来ノイズ判定手段が上記データ処理手段のデータ処理を禁止するとともに、波形の立上がり時間が所定時間内で、周期が異なる場合、上記外来ノイズ判定手段が連続して外来ノイズ判定を行うことを特徴とするデータ処理装置。
【請求項２】
請求項１に記載されたデータ処理装置において、
上記外来ノイズ判定手段が、入力信号の複数のピークの周期差、立上がり時間に基づいて外来ノイズか否かを判定するとともに、立上がり時間が所定時間内で、周期が異なる場合、次の山が終了したとき、再び、複数のピークの周期差、立上がり時間に基づいて外来ノイズか否かを判定することを特徴とするデータ処理装置。
【請求項３】
請求項１または請求項２に記載されたデータ処理装置において、
上記入力信号が発生してから所定時間以内に、入力信号が外来ノイズであると判定できない場合、上記データ処理手段がデータ処理を開始することを特徴とするデータ処理装置。
【請求項４】
請求項１〜請求項３のいずれかに記載されたデータ処理装置において、
上記データ処理禁止状態において、波形の立上り時間が所定時間以上になったと判別したとき、上記外来ノイズ判定手段がデータ処理禁止を解除するとともに、以降のデータ処理禁止を行わないことを特徴とするデータ処理装置。
【請求項５】
請求項１〜請求項４のいずれかに記載されたデータ処理装置を備えることを特徴とするセキュリティ装置。
【請求項６】
請求項１〜請求項４のいずれかに記載されたデータ処理装置を備えることを特徴とする侵入センサ。
【発明の詳細な説明】
【技術分野】
【０００１】
本発明は、入力信号のＡ／Ｄ変換出力により波形の特徴検出等のデータ処理を行うデータ処理装置に関し、特に、ノイズによる誤動作を防止することができるデータ処理装置に関する。
【背景技術】
【０００２】
あるセンサから得られた信号に基づいて何らかの制御を行うといった装置は多数存在し、例えば、車両のセキュリティシステムでは、アーミング（警戒）中に不正なドア開、車室内への侵入、車両の振動、ガラス割れ等の不正侵入を検出するとアラームを発生させたり、あるいは所定場所に不正侵入があったことを無線通報するようにしているが、このセキュリティシステムに使用される侵入センサでは、物体の移動による波形の変動を抽出することで車両への不正侵入の有無を検出するようにしている（例えば、特許文献１参照）。
【特許文献１】特開２００４−１４２６６０号公報
【０００３】
図１は一般的なセキュリティシステムの構成を示すブロック図であり、セキュリティＥＣＵ３１はロック制御を行うキーレスエントリー機能を内蔵しており、車両のドアロック／アンロック制御、ドアの開閉制御を行ったり、不正な手段による車室内への侵入等があったとき警報を発したりするもので、送信機３２からの要求信号に応じてアーミング／ディスアーミング制御、車両のドアロック／アンロック制御等を行う。
送信機３２はロックボタンＬとアンロックボタンＵを有し、ロックボタンＬの押下によりセキュリティセット（アーミング）、アンロックボタンＵの押下によりセキュリティリセット（ディスアーミング）となる。
【０００４】
このセキュリティＥＣＵ３１には、ドアの開閉状態を検出するカーテシＳＷ３３、フードの開閉状態を検出するフードＳＷ３４、正規の方法以外でドアが開けられたり、車室内への侵入があったことを検出する侵入センサ３５、車両の振動を検出する振動センサ３６、イグニッションスイッチのオン／オフのスイッチング状態を検出するＩＧＳＷ３７、ドアのロック、アンロックを検出するロックポジションＳＷ３８等のＳＷやセンサの出力が入力されるとともに、ドアのロック、アンロックを行うドアロック機構を駆動するロックモータ３９、警報時に警報動作を行うホーン４０、ハザードランプ４１等が接続されている。
【０００５】
また、図２は上記の侵入センサ３５の一例を示すもので、ミリ波帯の高周波信号を使用した侵入センサの構成を示すブロック図であり、４ＭＨｚの高周波信号を発生する発振回路５１の出力が逓倍・増幅回路５２により２４ＧＨｚの周波数信号に逓倍・増幅され、送信アンテナ５３から送出される。そして、送信アンテナ５３からの送信電波が周囲の物体に当たって反射してくる反射波が受信アンテナ５４によって受信され、受信アンテナ５４からの受信信号と逓倍・増幅回路５２からの送信信号を混合回路５６により混合し、検波回路５７に入力する。
そして、検波回路５７が受信信号と送信信号との差の周波数成分をビート信号として抽出し、マイコン５８は検波回路５７の出力をＡ／Ｄ変換したデータに基づいて、物体の移動による波形の変動を抽出することで車両への不正侵入の有無を検出するようになっている。
【０００６】
上記の侵入センサのように、入力信号をデータ処理するマイコンを利用したデータ処理装置では、センサからの信号をＡ／Ｄ変換器でサンプリングしてデジタル化し、このデジタル信号に基づいてデータ処理回路で判定処理を行っている。
この場合、サンプリング周期が短いと、Ａ／Ｄ変換された波形は原信号に近いものとなるが、サンプリング周期が長いと、Ａ／Ｄ変換された波形は原信号から離れたものとなり、原信号の波形の形を認識することができないので、通常、原信号に含まれる最高周波数がｆｐである場合、サンプリング周波数を２ｆｐ以上にしている。
【０００７】
このようなデータ処理装置は、そのシステムで必要な周波数成分よりも高い周波数を有する信号が外来ノイズとしてセンサに入力された場合、Ａ／Ｄ変換器のサンプリング周波数よりも高い周波数成分の信号は波形を認識できないため、外来ノイズか否かの認識がうまくできず、誤動作する可能性があるので、高周波ノイズが入った場合は、データ処理を中止する必要がある。
【０００８】
また、データ処理装置として、周期は不定であるが、ほぼ一定時間間隔の信号を検出するものがあるが、このようなデータ処理装置に、一定周期の信号で信号の立ち上がりが急峻な信号、例えば、図３に示すような携帯電話の電源オン・オフ信号が入力された場合、このような信号はＡ／Ｄ変換器のサンプリング周波数を高くしないと、波形の認識がうまくできないので、データ処理装置が誤動作することがあった。
【０００９】
このため、従来、図４に示すように、（１）センサの出力電圧が0.45Ｖ以上になってから450msが経過していない、（２）入力波形の各山の周期差の最大値が10ms以下である、（３）入力波形の山の数が７以上である、（４）センサ信号発生中状態、すなわち、センサの出力電圧が0.45Ｖ未満の状態が100ms継続していない、（５）ピーク発生時間、すなわち、センサ出力が基準電圧を超えてから、ピーク電圧が発生するまでの時間の７山分の積算値が25ms以下である、という５つの条件が成立した場合に、センサ出力に基づくデータ処理を禁止することにより、立ち上がりが急峻な一定周期の信号が入力した場合の誤動作を防止するようにしている。
【発明の開示】
【発明が解決しようとする課題】
【００１０】
上記のように、従来は、信号発生から山が７つ発生するまでの時間のデータで判定しているので、その時間内に外来ノイズのレベルが低下し、外来ノイズと判定するための条件である周期性を正しく獲得できなかった場合、例えば、図５の周期Ｔ３の山のように外来ノイズのレベルが一時的に低下し、周期が大となった場合、周期差の最大値が10ms以下という条件が成立しないので、上記のロジックが作動せず、検知禁止がかからずに、侵入者の誤検知をしてしまうという、問題が生じていた。
【００１１】
また、侵入者が車内に侵入してきたときの波形、すなわち、物取り波形がたまたま図６（ａ）に示すように、上記の５つの条件を満たすような波形となった場合、すなわち、周期差が一定でピークまでの時間もさほど変化のない波形が検出された場合、データ処理、すなわち、侵入者検知処理が禁止となってしまう、という問題もあった。
【００１２】
本発明は、上記の問題に鑑みてなされたもので、立ち上がりが急峻な一定周期の外来ノイズのレベルが一時的に低下した場合であっても、誤動作を防止することができるとともに、外来ノイズでない入力波形が一時的に外来ノイズの判定条件を満たした場合にも、データ処理を実行することができるデータ処理装置を提供することを目的とする。
【課題を解決するための手段】
【００１３】
上述の目的を達成するため、本発明に係るデータ処理装置は、入力波形の立上がり時間が所定時間内で、周期が異なる場合、入力信号の周期差及びピーク発生時間に基づく外来ノイズ判定を連続して行うようにした。
【００１４】
すなわち、入力波形の立上がり時間が短く、周期が異なる場合、図７に示すように、（１）センサの出力電圧が0.45Ｖ以上になってから450msが経過していない、（２）入力波形の山の数が７以上である、（３）センサ信号発生中状態、（４）過去７山分の周期差の最大値が10ms以下である、（５）過去７山分のピーク発生時間が25ms以下である、という５つの条件を連続して判別し、全ての条件が成立した場合、その成立をホールドしてセンサ出力に基づくデータ処理を禁止する。
【００１５】
また、たまたま物取り波形で外来ノイズ判定条件を満たす、すなわち、周期差が一定でピークまでの時間もさほど変化のない波形が検出され、データ処理禁止となってしまった場合であっても、図６（ｂ）に示すように、外来ノイズには見られないピークまでの立ち上がり時間が生じた場合、すなわち、過去７山分のピーク発生時間が25ｍｓ以上になった場合には、上記のホールドを解除してデータ処理を実行するとともに、このように一度禁止解除になった場合には、以降上記の５つの条件が成立してもデータ処理の禁止をかけないようにした。
【発明の効果】
【００１６】
本発明に係るデータ処理装置によれば、入力波形の立上がり時間が所定時間内で、周期が異なる場合、入力波形の周期差の最大値、及びピーク発生時間の判定を入力波形の山が７個を越えても連続して行うので、立ち上がりが急峻な一定周期の信号のレベルが一時的に低下した場合であっても、データ処理を禁止し、誤動作を防止することができる。
また、たまたま物取り波形で上記の５つの条件を満たす、すなわち、周期差が一定でピークまでの時間もさほど変化のない波形が検出され、データ処理禁止となってしまった場合であっても、外来ノイズには見られないピークまでの立ち上がり時間が生じた場合には、データ処理禁止がキャンセルされるので、データ処理の誤った禁止を防ぐことができる。
【実施例】
【００１７】
以下、本発明のデータ処理装置をセキュリティシステムの侵入センサに適用した実施例について説明する。
図８は、セキュリティシステムのシステム構成を示すブロック図であり、このシステムは侵入センサ１とセキュリティＥＣＵ２、ホーン３等よりなり、侵入センサ１は車室内に電波を張りめぐらせておき、ガラスが割られたり、車室内で人が動いたりしたときの電波の周波数の乱れを検出すると、セキュリティＥＣＵ２に通知し、セキュリティＥＣＵ２がホーン３またはハザードランプ（図示せず）により警報動作を行う。
【００１８】
侵入センサ１は、４ＭＨｚの高周波信号を発生する発振回路１１と、発振回路１１の出力を逓倍・増幅して送信アンテナ１３に出力するとともに、出力信号の一部を分岐させて混合回路１６に出力する逓倍・増幅回路１２と、送信アンテナ１３からの送信電波が周囲の物体に当たって反射してくる反射波を受信するための受信アンテナ１４と、受信アンテナ１４からの信号を受信する受信回路１５と、受信回路１５からの受信信号と逓倍・増幅回路１２からの送信信号を混合して出力する混合回路１６と、混合回路１６からの混合出力を検波する検波回路１７と、検波回路１７の出力が入力されるサンプルホールド回路１８と、サンプルホールド回路の出力が入力される低周波増幅器１９と、間欠駆動回路２０と、マイコン２１よりなる。
【００１９】
マイコン２１は、受信信号と送信信号との差の周波数成分をビート信号として抽出するとともに、オフセット電圧を除去する低周波増幅器１９からの信号が入力されるＡ／Ｄ変換器２２と、このＡ／Ｄ変換器２２のＡ／Ｄ変換出力が入力され、不審者の侵入を判定する判定部２３と、定周期ノイズ認識部２４及びアンド回路２５により構成されている。
この侵入センサ１の動作中には、消費電力を低減するため、マイコン２１が一定時間ごとに間欠駆動回路２０に信号を送出し、間欠駆動回路２０はマイコン２１から信号を受けると、一定時間発振回路１１を駆動する。
【００２０】
そして、４ＭＨｚの高周波信号を発生する発振回路１１の出力が逓倍・増幅回路１２により２４ＧＨｚの周波数信号に逓倍・増幅され、送信アンテナ１３から送出される。送信アンテナ１３からの送信電波が周囲の物体に当たって反射してくる反射波は、受信アンテナ１４によって受信されて受信回路１５に入力され、受信回路１５からの受信信号と逓倍・増幅回路１２からの送信信号が混合回路１６により混合された後、検波回路１７により検波される。
【００２１】
この検波信号がサンプルホールド回路１８を介して低周波増幅器１９に入力され、受信信号と送信信号との差の周波数成分がビート信号としてマイコン２１に入力され、マイコン２１は低周波増幅器１９の出力をＡ／Ｄ変換したデータに基づいて、物体の移動による波形の変動を抽出することによって車両への不正侵入の有無を検出する。
すなわち、判定部２３が、Ａ／Ｄ変換器２２の出力に基づいて判定処理、例えば、人の動きを検知して人の存在を判定する侵入判定処理を行う。
【００２２】
一方、定周期ノイズ認識部２４は、Ａ／Ｄ変換器２２の出力に基づいて定周期の信号で信号の立ち上がりが急峻な信号が入力したか否かを判定し、立ち上がりが急峻な一定周期の信号が入力した場合には、アンド回路２５にハイレベルの信号を出力することにより、判定部２３の判定処理出力のセキュリティＥＣＵ２への出力を禁止することにより、判定部２３でのノイズによる誤った判定結果がセキュリティＥＣＵ２に入力されることを防止する。
【００２３】
図９は上記のマイコン２１の判定部２３、定周期ノイズ認識部２４及びアンド回路２５の機能を実現するハードウェア構成を示す図であり、Ａ／Ｄ変換器２２、ＣＰＵ２６、ＲＯＭ（Read Only Memory）２７及びＲＡＭ２８（Random Access Memory)から構成されている。
ＣＰＵ２６は、マイコン２１のハードウェア各部を制御するとともに、ＲＯＭ２７に記憶されたプログラムに基づいてノイズ認識プログラム、侵入判定処理プログラム等の各種のプログラムを実行する。また、ＲＡＭ２８はＳＲＡＭ等で構成され、プログラムの実行時に発生する一時的なデータ、例えば、Ａ／Ｄ変換器２２からのサンプリング値や周期差、ピークまでの時間を記憶するとともに、侵入検知禁止フラグを記憶するフラグ記憶領域を備えている。
このように、判定部２３、定周期ノイズ認識部２４、アンド回路２５はＣＰＵ２６、ＲＯＭ２７、ＲＡＭ２８により構成され、ソフトウェアによりその機能が実行される。
【００２４】
次に、定周期ノイズ認識部２４の作用を図１０のフローチャート及び図１１、図１２の波形図により説明する。
定周期ノイズ認識部２４を構成するＣＰＵ２６は、Ａ／Ｄ変換器２２から0.5ms毎に入力されるＡ／Ｄ変換出力に基づいて入力信号のレベルが0.45Ｖを超えたか否かを常時判定しており、図５に示すように、入力信号のレベルが0.45Ｖを超えると、図１０のフローチャートに示す侵入検知禁止判定プログラムを開始してＡ／Ｄ変換器２２からのサンプリング値のＲＡＭ２８への記憶を開始する（ステップ１０１）。
【００２５】
次に、ＣＰＵ２６はＲＡＭ２８に記憶されているサンプリング値に基づいて入力波形中に山が７個以上発生したか否かを判定する（ステップ１０２）。すなわち、ＣＰＵ２６は、図１１に示すように、今回のサンプリング値が0.45Ｖ未満から0.45Ｖを超えた時点で山の数をカウントアップし、前回のカウントアップから０Ｖを下回ってない場合はカウントアップしないことにより山の数をカウントしており、このカウント値を７と比較することにより山が７個以上発生したか否かを判定する。
【００２６】
ステップ１０２で山が７個以上発生していないと判定した場合、ＣＰＵ２６は、プログラムを開始してから450msが経過したか否かを判定し（ステップ１０３）、プログラムを開始してから450msが経過していないと判定した場合、センサ信号が発生中状態、すなわち、サンプリング値の値が0.45Ｖ未満の状態が100ms継続しているか否かを判定する（ステップ１０４）。
【００２７】
サンプリング値が0.45Ｖ未満の状態が100ms継続していない、すなわち、センサ信号が発生中状態と判定した場合、ＣＰＵ２６は、ステップ１０２に戻って再び山が７個以上発生したか否かを判定し、センサの出力電圧が0.45Ｖ未満の状態が100ms継続したと判定した場合、センサの出力がなくなったと判断し、検知禁止フラグやサンプリング値等の記憶値をクリアした（ステップ１０６）後、プログラムを終了する。
また、ステップ１０３でプログラムを開始してから450msが経過したと判定した場合には、定周期ノイズが発生していないと判断して不審者の侵入検知の判定結果の出力を許可し（ステップ１０５）、検知禁止フラグやサンプリング値等の記憶値をクリアした（ステップ１０６）後、プログラムを終了する。
【００２８】
一方、ステップ１０２で山が７個以上発生したと判定した場合、ＣＰＵ２６は、図５に示すように、各山の周期Ｔ１、Ｔ２、・・・及び隣り合う山との周期差の絶対値｜Ｔ２−Ｔ１｜、｜Ｔ３−Ｔ２｜、・・・を計算した（ステップ１０７）後、過去７山分の周期差をＲＡＭ２８に記憶する（ステップ１０８）。なお、既に過去７山分の周期差がＲＡＭ２８に記憶されている場合には、その値を更新する。
【００２９】
次に、ＣＰＵ２６は、過去７山分の周期差の最大値ＭａｘをＲＡＭ２８に記憶または更新した（ステップ１０９）後、過去７山分のピークまでの時間積算値Ｔｐを演算し、ＲＡＭ２８に記憶または更新する（ステップ１１０）。
すなわち、ＣＰＵ２６は図１２に示すように、波形の立ち上がりからピークまでの時間ｔp1、ｔp2、ｔp3、・・・を演算し、７山分の波形の立ち上がりからピークまでの時間ｔｐの積算値Ｔｐを求める。
【００３０】
上記の演算が終了すると、ＣＰＵ２６は、過去７山分のピークまでの時間積算値Ｔｐが25msより小さいか否かを判定し（ステップ１１１）、時間積算値Ｔｐが25msより大きいと判定した場合、定周期ノイズには見られないピークまでの立ち上がり時間が生じていると判断して不審者の侵入検知の判定結果の出力を許可し（ステップ１０５）、検知禁止フラグやサンプリング値等の記憶値をクリアした（ステップ１０６）後、プログラムを終了する。
【００３１】
一方、ステップ１１１で時間積算値Ｔｐが25msより小さいと判定した場合、ＣＰＵ２６は、過去７山分の周期差の最大値Ｍａｘが10msより小さいか否かを判定し（ステップ１１２）、過去７山分の周期差の最大値Ｍａｘが10msより小さいと判定した場合、定周期の信号で信号の立ち上がりが急峻な定周期ノイズが発生していると判断し、ＲＡＭ２８のフラグ記憶領域の検知禁止フラグをオンする（ステップ１１３）。
【００３２】
検知禁止フラグをオンした後、ＣＰＵ２６は、ＲＡＭ２８に記憶されているサンプリング値に基づいて入力波形の次の山が終了したか否かを判定し（ステップ１１４）、次の山が終了していないと判定した場合、センサ信号が発生中状態か否かを判定する（ステップ１１５）。
【００３３】
ステップ１１５でセンサ信号が発生中状態と判定した場合、ＣＰＵ２６は、ステップ１１４に戻って再び次の山が終了したか否かを判定し、センサ信号が発生していないと判定した場合、検知禁止フラグやサンプリング値等の記憶値をクリアした（ステップ１０６）後、プログラムを終了する。
また、ステップ１１４で次の山が終了したと判定した場合、ステップ１０７に戻って、再び、過去７山分の周期差の最大値Ｍａｘ、過去７山分のピークまでの時間積算値Ｔｐを演算して、入力信号がノイズか否かの判定を実行する。
【００３４】
一方、ステップ１１２で過去７山分の周期差の最大値Ｍａｘが10msより大きいと判定した場合、ＣＰＵ２６は、図５の周期Ｔ３のように、立ち上がりが急峻な一定周期のノイズ信号のレベルが一時的に低下した可能性があると判断して禁止判定を延期し、次の山が終了した場合に、再び、過去７山分の周期差の最大値Ｍａｘ、過去７山分のピークまでの時間積算値Ｔｐを演算して入力信号がノイズか否かの判定を実行する。
【００３５】
すなわち、ステップ１１２で過去７山分の周期差の最大値Ｍａｘが10msより大きいと判定した場合、ＣＰＵ２６は、ＲＡＭ２８に記憶されているサンプリング値に基づいて入力波形の次の山が終了したか否かを判定し（ステップ１１６）、次の山が終了していないと判定した場合、センサ信号が発生中状態か否かを判定する（ステップ１１７）。
【００３６】
センサ信号が発生中状態と判定した場合、ＣＰＵ２６は、プログラムを開始してから450msが経過したか否かを判定し（ステップ１１８）、プログラムを開始してから450msが経過していないと判定した場合、ステップ１１６に戻って、再び入力波形の次の山が終了したか否かを判定する。
そして、ステップ１１６で次の山が終了したと判定した場合、ＣＰＵ２６は、ステップ１０７に戻って、再び、過去７山分の周期差の最大値Ｍａｘ、過去７山分のピークまでの時間積算値Ｔｐを演算して入力信号がノイズか否かの判定を実行する。
【００３７】
また、ステップ１１７でサンプリング値が0.45Ｖ未満の状態が100ms継続し、センサ信号が発生していないと判定した場合、ＣＰＵ２６は、検知禁止フラグやサンプリング値等の記憶値をクリアした（ステップ１０６）後、プログラムを終了する。
【００３８】
一方、ステップ１１８でプログラムを開始してから450msが経過したと判定した場合、ＣＰＵ２６は、ＲＡＭ２８の検知禁止フラグを参照することにより、その時点で検知禁止フラグがオンになっているか否かを判定し（ステップ１１９）、検知禁止フラグがオンになっていると判定した場合、
立ち上がりが急峻な一定周期のノイズ信号のレベルが一時的に低下した可能性があるので、ステップ１１６に戻って、再び入力波形の次の山が終了したか否かを判定する。
【００３９】
また、ステップ１１９で検知禁止フラグがオフであると判定した場合、ＣＰＵ２６は、入力信号がノイズ信号でないと判断して不審者の侵入検知の判定結果の出力を許可し（ステップ１０５）、検知禁止フラグやサンプリング値等の記憶値をクリアした（ステップ１０６）後、プログラムを終了する。
【００４０】
以上のように、入力波形の立上がり時間が短く、周期が異なる場合、センサの出力信号の周期差の最大値、及び出力信号のピーク発生時間の判定が次の山が終了するたびに行われるので、立ち上がりが急峻な一定周期の信号のレベルが一時的に低下した場合であっても、不審者の侵入検知を禁止し、誤動作を防止することができる。
すなわち、図１３に示すようなセンサ信号が発生した場合、信号有り状態移行後、Ｐ３の時点で周期差大が検出されるので、７山分のデータが確認されるＰ８時点でも検知禁止はかからないが、Ｐ１０時点で過去７山分のデータが条件を満たすので、不審者の侵入検知を禁止することができる。
【００４１】
また、たまたま物取り波形で条件を満たす、すなわち、周期差が一定でピークまでの時間もさほど変化のない波形が検出され、検知禁止となってしまった場合であっても、ステップ１１１で定周期ノイズには見られないピークまでの立ち上がり時間が生じた場合には、検知禁止がキャンセルされ、不審者の侵入検知の判定結果出力が許可されるので、誤った検知禁止を防ぐことができる。
【００４２】
なお、上記の実施例で説明した、ノイズ判定を行う山の数、信号有無の判定を行う電圧値、周期差の最大値・ピーク発生時間の判定値等は一例であり、適宜変更することが可能である。
また、上記の実施例では、入力信号の振幅が一定値以上になった場合に、検知禁止判定プログラムを実行したが、最初の１波形または数波形の周期、時間を使用しないようにすれば、波形が安定してからのみノイズ検出を行うようにすることができる。
【００４３】
さらに、上記の実施例では、周期差を演算するのに、前後の山の周期の差を求めたが、最初の１波形を基準値とし、以降の波形の周期と基準値との差を演算することにより、周期差を求めることもできる。
また、上記の実施例では、本発明のデータ処理装置をセキュリティシステムに適用した場合の例について説明したが、本発明のデータ処理装置は、上記以外の様々な波形認識を行うデータ処理装置に適用することが可能である。
【図面の簡単な説明】
【００４４】
【図１】一般的なセキュリティシステムの構成を示すブロック図。
【図２】侵入センサの構成を示すブロック図。
【図３】一定周期の信号で信号の立ち上がりが急峻な波形の一例。
【図４】従来の一定周期の信号で信号の立ち上がりが急峻な信号を判定するための条件。
【図５】図４の条件が成立しない場合の波形の一例。
【図６】誤ってノイズと判定される物取り波形の一例。
【図７】本発明の一定周期の信号で信号の立ち上がりが急峻な信号を判定するための条件。
【図８】セキュリティシステムのシステム構成を示すブロック図。
【図９】マイコンのハードウェア構成を示す図。
【図１０】定周期ノイズ認識部の作用を示すフローチャート。
【図１１】波形の山の数のカウントの説明図。
【図１２】波形の立ち上がりからピークまでの時間の積算値を求めるための説明図。
【図１３】検知禁止フラグがオンとなる波形の一例。
【符号の説明】
【００４５】
１  侵入センサ
１１  発振回路
１２  逓倍／増幅回路
１３  送信アンテナ
１４  受信アンテナ
１５  受信回路
１６  混合回路
１７  検波回路
１８  サンプルホールド回路
１９  低周波増幅器
２０  間欠駆動回路
２１  マイコン
２２  Ａ／Ｄ変換器
２３  判定部
２４  定周期ノイズ認識部
２５  アンド回路
２  セキュリティＥＣＵ
３  ホーン
【図１】
2008249338.tif 000003
【図２】
2008249338.tif 000004
【図３】
2008249338.tif 000005
【図４】
2008249338.tif 000006
【図５】
2008249338.tif 000007
【図６】
2008249338.tif 000008
【図７】
2008249338.tif 000009
【図８】
2008249338.tif 000010
【図９】
2008249338.tif 000011
【図１０】
2008249338.tif 000012
【図１１】
2008249338.tif 000013
【図１２】
2008249338.tif 000014
【図１３】
2008249338.tif 000015